(57)【要約】      （修正有）【課題】  製造コストを下げ、在庫を減少することができ、かつ容易な作業を可能とする開口部装置を提供する。【解決手段】  同一枠体を複層ガラスパネルと単層ガラスパネル６０ｂとに兼用する方法であって、単層ガラスパネルを使用する場合には、枠体の上、左右の３方の枠に押し縁より水平方向の長さが大きな押し縁を使用するとともに、下枠にあっては水路と組み合わせて、水路の底面と同一またはそれより低い底面１０５をさらにガラスパネル側に形成するとともにその先端にシール部材３３が取り付け可能に構成されたアタッチメント１００を使用する。また複層ガラスパネルを使用する場合には底板１０５を使用しないで組み付けるようにする。【選択図】      図５
2005083046.tif 000002
【特許請求の範囲】
【請求項１】
同一枠体を複層ガラスパネルと単層ガラスパネルとに兼用する方法であって、
前記複層ガラスパネルを使用する場合には、前記枠体の上、左右の３方の枠に押し縁を取り付けるとともに、各押し縁の先端に室外側に向けてシール部材を取り付け、下枠には結露水を受ける水路を設けるとともに、該水路の先端にもシール部材を取り付け、これらのシール部材と、これらシール部材に対向するように四辺の枠の室外側に取り付けられた他のシール部材とにより前記複層ガラスパネルを押圧固定し、
前記単層ガラスパネルを使用する場合には、前記枠体の上、左右の３方の枠において前記押し縁より水平方向の長さが大きな押し縁を使用するとともに、下枠においては前記ガラスパネル側に前記水路に連続するように前記水路の底面と同一またはそれより低い底面を備える拡幅水路を構成するとともにその先端にシール部材が取り付け可能に構成されたアタッチメント、を使用する、
兼用方法。
【請求項２】
四辺の枠体と、室内外側からシール部材により押圧固定されたガラスパネルとを備えた開口部装置であって、
上、左右の前記枠体に固定された押し縁には前記シール部材が取り付けられており、
下枠には、前記ガラスパネルの結露を受ける水路が備えられ、さらに、前記ガラスパネル側に前記水路に連続するように前記水路の底面と同一またはそれより低い底面を備える拡幅水路を構成するとともにその先端にシール部材が取り付け可能に構成されたアタッチメント、を備え、
前記ガラスパネルが複層の場合には、前記下枠に備えられた水路の先端に前記シール部材が取り付けられて前記アタッチメントは使用されず、
前記ガラスパネルが単層の場合には、前記下枠に備えられた水路のさらに室外側に前記アタッチメントが配置されて、該アタッチメントの先端に前記シール部材が取り付けられる、
開口部装置。
【発明の詳細な説明】
【技術分野】
【０００１】
本発明は、建物に設けられる開口部装置に関する。
【背景技術】
【０００２】
スペーサを２枚のガラス板で挟持する構造を有する複層ガラスは、ガラス板間に形成される空気層により室内外の断熱性が良く、また騒音の遮断効果が高いため、寒冷地や、交通量の多い都市部での使用が増加しつつある。その一方で、温暖な地域や騒音が問題とならないような地域においては、コストが低廉な単層ガラスの人気が根強い。このような二種類のガラスパネルは、室内外方向の厚さが異なるために、それぞれ厚さ（形状）の異なる枠体を使用して、その内部に収められてきた。
【発明の開示】
【発明が解決しようとする課題】
【０００３】
しかし、これら二種類のガラスパネルごとに枠体を用意するため、それぞれに異なる部品を製造する必要があり、製造コストが高くなるという問題があった。また同様の理由で、製造段階、流通段階において在庫量が増加するという問題もあった。加えて、それぞれ異なる部品を組み立てる必要があるため、作業が煩雑になるという問題もあった。
【０００４】
そこで、本発明は、製造コストを下げ、在庫を減少することができ、かつ容易な作業を可能とする開口部装置を提供することを課題とする。
【課題を解決するための手段】
【０００５】
本発明は、共通の枠体を複層ガラスパネルと単層ガラスパネルとに兼用することにより前記課題を解決することを主旨とするものである。以下、本発明について説明する。なお、本発明の理解を容易にするために添付図面の参照符号を括弧書きにて付記するが、それにより本発明が図示の形態に限定されるものではない。
【０００６】
請求項１の発明は、同一枠体（５）を複層ガラスパネル（６０ａ）と単層ガラスパネル（６０ｂ）とに兼用する方法であって、前記複層ガラスパネルを使用する場合には、前記枠体の上、左右の３方の枠（１、３、４）に押し縁（７０ａ、８０ａ、９０ａ）を取り付けるとともに、各押し縁の先端に室外側に向けてシール部材（２３、２４、３１）を取り付け、下枠（２）には結露水を受ける水路（４５０）を設けるとともに、該水路の先端にもシール部材（３３）を取り付け、これらのシール部材と、これらシール部材に対向するように四辺の枠の室外側に取り付けられた他のシール部材（２１、２２、３２、３４）とにより前記複層ガラスパネルを押圧固定し、前記単層ガラスパネルを使用する場合には、前記枠体の上、左右の３方の枠に前記押し縁より水平方向の長さが大きな押し縁（７０ｂ、８０ｂ、９０ｂ）を使用するとともに、下枠においては前記ガラスパネル側に前記水路に連続するように前記水路の底面と同一またはそれより低い底面（１０５）を備える拡幅水路を構成するとともにその先端にシール部材（３３）が取り付け可能に構成されたアタッチメント（１００）、を使用する、兼用方法により前記課題を解決する。
【０００７】
この発明によれば、単層ガラスと複層ガラスとに対して、一つの枠体を共用することができるので、製造コストの削減、流通在庫量の削減、作業の容易化を図ることが可能となる。また、単層ガラスを使用する場合、アタッチメントの使用により水路が拡幅されるので、複層ガラスを使用する場合より多く発生する結露水を円滑に排出することが容易となる。
【０００８】
請求項２の発明は、四辺の枠体（５）と、室内外側からシール部材（２１、２２、２３、２４、３１、３２、３３、３４）により押圧固定されたガラスパネルとを備えた開口部装置（２００ａ、２００ｂ）であって、上、左右の前記枠体（１、３、４）に固定された押し縁には前記シール部材（２３、２４、３１）が取り付けられており、下枠（２）には、前記ガラスパネルの結露を受ける水路（４５０）が備えられ、さらに、前記ガラスパネル側に前記水路に連続するように前記水路の底面と同一またはそれより低い底面（１０５）を備える拡幅水路を構成するとともにその先端にシール部材（３３）が取り付け可能に構成されたアタッチメント（１００）、を備え、前記ガラスパネル（６０ａ）が複層の場合には、前記下枠に備えられた水路の先端に前記シール部材（３３）が取り付けられて前記アタッチメントは使用されず、前記ガラスパネル（６０ｂ）が単層の場合には、前記下枠に備えられた水路のさらに室外側に前記アタッチメント（１００）が配置されて、該アタッチメントの先端に前記シール部材が取り付けられる、開口部装置（２００ａ、２００ｂ）により前記課題を解決しようとするものである。
【０００９】
この発明の開口部装置は、単層ガラスと複層ガラスとに対して、一つの枠体を共用することができるので、製造コストの削減、流通在庫量の削減、作業の容易化を図ることが可能となる。また、単層ガラスを使用する場合、アタッチメントの使用により水路が拡幅されるので、複層ガラスを使用する場合より多く発生する結露水を円滑に排出することが容易な開口部装置を構成することができる。
【発明の効果】
【００１０】
請求項１の発明によれば、単層ガラスと複層ガラスとに対して、一つの枠体を共用することができるので、製造コストの削減、流通在庫量の削減、作業の容易化を図ることが可能となる。また、単層ガラスを使用する場合、アタッチメントの使用により水路が拡幅されるので、複層ガラスを使用する場合より多く発生する結露水を円滑に排出することが容易となる。
【００１１】
請求項２の発明にかかる開口部装置によれば、単層ガラスと複層ガラスとに対して、一つの枠体を共用することができるので、製造コストの削減、流通在庫量の削減、作業の容易化を図ることが可能となる。また、単層ガラスを使用する場合、アタッチメントの使用により水路が拡幅されるので、複層ガラスを使用する場合より多く発生する結露水を円滑に排出することが容易な開口部装置を構成することができる。
【００１２】
本発明のこのような作用及び利得は、次に説明する発明を実施するための最良の形態から明らかにされる。
【発明を実施するための最良の形態】
【００１３】
以下本発明に係る開口部装置を嵌め殺し窓に適用した実施形態を図面に基づき説明する。
【００１４】
図１ａはガラスパネルが複層である本発明に係る嵌め殺し窓２００ａを室内側から正面視したときの概略図である。図示の嵌め殺し窓２００ａは、建物（図示せず）の所定箇所に取り付けられる枠体５と、枠体５に嵌め入れられた複層ガラスパネル６０ａとを備えている。枠体５は、上枠１、下枠２、および左右の縦枠３、４で構成されている。複層ガラスパネル６０ａは、上押し縁７０ａと、左右の押し縁８０ａ、および９０ａにより固定されている。
【００１５】
図１ｂはガラスパネルが単層である本発明に係る嵌め殺し窓２００ｂを室内側から正面視したときの概略図である。この嵌め殺し窓２００ｂは、図１ａに示される嵌め殺し窓２００ａの複層ガラスパネル６０ａが、単層ガラスパネル６０ｂに置き換えられ、それに伴って、上押し縁７０ａと、左右の押し縁８０ａ、および９０ａがそれぞれ異なる形状の上押し縁７０ｂと、左右の押し縁８０ｂ、および９０ｂに置き換えられている。しかし、これら２種類の嵌め殺し窓２００ａ、２００ｂは共通の枠体５を使用している。図１（ｂ）においては、図１（ａ）と同一部材は同一の参照符号を、図１ａの部材に対応するものであるが形状が異なる部材は図１（ａ）における参照符号のうち「ａ」の部分を「ｂ」に置き換えて表されている。すなわち、嵌め殺し窓２００ｂは、建物の所定箇所に取り付けられる枠体５と、枠体５に嵌め入れられた単層ガラスパネル６０ｂとを備え、枠体５は、上枠１、下枠２、および左右の縦枠３、４で構成され、単層ガラスパネル６０ｂは、上押し縁７０ｂと、左右の押し縁８０ｂ、および９０ｂにより固定されている。
【００１６】
図２ａは、図１ａにおけるIIＡ−IIＡ線に沿った水平断面図である。嵌め殺し窓２００ａの左右には、それぞれ左縦枠３、右縦枠４が配置されている。これら左右の縦枠３、４の室外寄りの位置において内方に向けて、ビード取り付け板３０１、４０１が延設されている。ビード取り付け板３０１、４０１の先端には、室内方向に向けてビード２１、２２がそれぞれ取り付けられている。
【００１７】
また、ビード取り付け板３０１、４０１の分岐部からさらに室内側（図において下方）には、左縦枠３、右縦枠４それぞれに２箇所ずつ、押し縁取り付部３０２、３０３、及び４０２、４０３が設けられている。これら押し縁取り付部３０２、３０３、及び押し縁取り付部４０２、４０３に、それぞれ押し縁８０ａ、９０ａが取り付けられている。押し縁８０ａ、９０ａにおいて、これら押し縁取り付部３０２、３０３、及び押し縁取り付部４０２、４０３の反対側の先端にはビード２３、２４が室外側に向けて取り付けられている。
【００１８】
ビード２１と２３、及びビード２２と２４とは互いに対向するように配置されており、これら対向するビード２１と２３、及び２２と２４の間に複層ガラスパネル６０ａが設けられている。複層ガラスパネル６０ａは、２枚のガラスパネル６１、６２と、これらガラスパネル６１、６２の間に配置されたスペーサ６３１、６３２とを備えている。そしてこれら２枚のガラスパネル６１、６２の間にスペーサ６３１、６３２により形成された空気層が形成されて、これにより断熱、遮音等の機能が発揮される。
【００１９】
、左縦枠３の押し縁取り付部３０２、３０３、及び右縦枠４の押し縁取り付部４０２、４０３のさらに室内側寄りには樹脂形材取り付け部３０４、３０５、及び４０３、４０４がそれぞれ２箇所ずつ設けられている。これら樹脂材取り付け部３０４、３０５、及び４０３、４０４にはそれぞれ樹脂形材２１、及び２０が取り付けられている。樹脂形材２０、及び２１は、嵌め殺し窓２００ａを室内側から見た場合に開口部の淵を形成している。通常樹脂形材は木目模様が施された樹脂、あるいは木目模様をプリントされた化粧フィルムが貼付された樹脂材として形成されており、室内側からの視点に対して意匠性を付与するとともに、断熱や結露防止の効果を奏している。
【００２０】
図２ｂは、図１ｂにおけるIIＢ−IIＢ線に沿った水平断面図である。この嵌め殺し窓２００ｂは、図２ａに示される嵌め殺し窓２００ａの複層ガラスパネル６０ａが、単層ガラスパネル６０ｂに置き換えられ、それに伴って、左右の押し縁８０ａ、および９０ａがそれぞれ異なる形状の左右の押し縁８０ｂ、および９０ｂに置き換えられている。しかし、前記したように、これら２種類の嵌め殺し窓２００ａ、２００ｂは共通の枠体５を使用している。図２（ｂ）においても、図２（ａ）と同一部材は同一の参照符号を、図２ａの部材に対応するものであるが形状が異なる部材は図２（ａ）における参照符号のうち「ａ」の部分を「ｂ」に置き換えて表されている。
【００２１】
嵌め殺し窓２００ｂの左右には、左縦枠３、右縦枠４が配置されている。これら左右の縦枠３、４の室外寄り内方に向けて、ビード取り付け板３０１、４０１が延設されている。ビード取り付け板３０１、４０１の先端には、ビード２１、２２が室内側に向けてそれぞれ取り付けられている。
【００２２】
また、ビード取り付け板３０１、４０１の分岐部からさらに室内側（図において下方）には、左縦枠３、右縦枠４それぞれに２箇所ずつ、押し縁取り付部３０２、３０３、及び４０２、４０３が設けられている。これら押し縁取り付部３０２、３０３、及び押し縁取り付部４０２、４０３に、押し縁８０ｂ、９０ｂが取り付けられている。押し縁８０ｂ、９０ｂにおいて、これら押し縁取り付部３０２、３０３、及び押し縁取り付部４０２、４０３に取り付けられている反対側の先端にはビード２３、２４が室外側に向けて取り付けられている。
【００２３】
ビード２１と２３、及びビード２２と２４とは互いに対向するように配置されており、これら対向するビード２１と２３、及び２２と２４の間に短層ガラスパネル６０ｂが固定されている。
【００２４】
押し縁取り付部３０２、３０３、及び押し縁取り付部４０２、４０３のさらに室内側には樹脂形材取り付け部３０４、３０５、及び４０３、４０４が左縦枠３、右縦枠４それぞれに２箇所ずつ設けられている。これら樹脂材取り付け部３０４、３０５、及び４０３、４０４にはそれぞれ樹脂形材２１、及び２０が取り付けられている。樹脂形材２０、２１は、嵌め殺し窓２００ｂを室内側から見た場合に開口部の淵を形成している。
【００２５】
図３ａは、図１ａにおけるIIIＡ−IIIＡ線に沿った垂直断面図である。図示の嵌め殺し窓２００ａの上下には、上枠１及び下枠２が配置されている。これら上下の上枠１及び下枠２には室外寄りの位置に内方に向けて、それぞれにビード取り付け板３０６、及び４０６が延設されている。ビード取り付け板３０６、４０６の先端には、ビード３２、３４が室内方向に向けて取り付けられている。上枠１においては、ビード取り付け板３０６の分岐部からさらに室内側（図において右方）には、押し縁取り付部３０７、３０８が設けられている。これら押し縁取り付け部３０７、３０８を利用して押し縁７０ａが上枠１に取り付けられている。押し縁７０ａの先端にはビード３１が室外方向に向けて取り付けられている。ビード３１と３２とは互いに対向するように配置されている。
【００２６】
一方、下枠２においては、下枠の室内側立設面４０７の上端部室外側に、ビード取り付け部４０８が設けられている。このビード取り付け部４０８にはビード３３が上記したビード３４に対向するように室外側に向けて取り付けられている。
【００２７】
さらに下枠２の水平部４１０上には基台３５が配置され、基台３５上には複層ガラスパネル６０ａが載置されている。同時に複層ガラスパネル６０ａは、その上部で、ビード３２と３１とにより、その下部ではビード３３と３４とにより狭持固定されている。複層ガラスパネル６０ａは、２枚のガラスパネル６１、６２と、これらガラスパネル６１、６２の間に配置されたスペーサ６３３と６３４とを備えている。そしてこれら２枚のガラスパネル６１、６２の間にスペーサ６３３と、６３４とにより空気層が形成されて、これにより断熱、遮音等の機能が発揮される。
【００２８】
上枠１の押し縁取り付部３０８、及び下枠２のビード取り付け部４０８のさらに室内側には樹脂形材取り付け部３０９、及び樹脂形材取り付け部４０９がそれぞれに設けられている。これら樹脂材取り付け部３０９、及び４０９にはそれぞれ樹脂形材３０、及び３１が嵌合して取り付けられている。樹脂形材３０、３１は、嵌め殺し窓２００ａを室内側から見た場合に開口部の淵を形成している。通常樹脂形材は木目模様の樹脂、あるいは木目模様をプリントされた化粧フィルムが貼付された樹脂材として形成されており、室内側からの視点に対して意匠性を付与するとともに、断熱や結露防止の効果を奏している。
【００２９】
図３ｂは、図１ｂにおけるIIIＢ−IIIＢ線に沿った垂直断面図である。この嵌め殺し窓２００ｂは、図３ａに示される嵌め殺し窓２００ａの複層ガラスパネル６０ａが、単層ガラスパネル６０ｂに置き換えられ、それに伴って、上枠１の押し縁７０ａが異なる形状の押し縁７０ｂに置き換えられている。また、下枠２においては、アタッチメント１００を介してビード３３ｂが下枠２に取り付けられている。しかし、前記したように、これら２種類の嵌め殺し窓２００ａ、２００ｂは共通の枠体５を使用している。図３（ｂ）においても、図３（ａ）と同一部材は同一の参照符号を、図３ａの部材に対応するものであるが形状が異なる部材は図３（ａ）における参照符号のうち「ａ」の部分を「ｂ」に置き換えて表されている。
【００３０】
嵌め殺し窓２００ｂの上下には、上枠１、及び下枠２が配置されている。これら上下の上枠１及び下枠２には室外寄り内方に向けて、ビード取り付け板３０６、及び４０６が延設されている。ビード取り付け板３０６、４０６の先端には、ビード３２、３４が室ね意方向に向けて取り付けられている。上枠１においては、ビード取り付け板３０６の分岐部からさらに室内側（図において右方）には、押し縁取り付部３０７、３０８が設けられている。これら押し縁取り付け部３０７、３０８を利用して押し縁７０ｂが上枠１に取り付けられている。押し縁７０ｂの先端にはビード３１が室外方向に向けて取り付けられている。ビード３１と３２とは互いに対向するように配置されている。
【００３１】
一方、下枠２においては、下枠の室内側立設面４０７の上端部室外側に、ビード取り付け部４０８が設けられている。嵌め殺し窓２００ｂにおいては、このビード取り付け部４０８にアタッチメント１００が取り付けられている。アタッチメント１００は、本発明の特徴的部分の一つであり、本図及び図５においてハッチングを付して表されている。アタッチメント１００の詳細については後に詳しく説明する。アタッチメント１００の室外側先端にはビード３３が上記したビード３４に対向するように室外側に向けて取り付けられている。
【００３２】
さらに下枠２の水平部４１０上には基台３５が配置され、基台３５上には単層ガラスパネル６０ｂが載置されている。同時に単層ガラスパネル６０ｂは、その上部で、ビード３２と３１とにより、その下部ではビード３３と３４とにより狭持固定されている。
【００３３】
上枠１の押し縁取り付部３０８、及び下枠２のビード取り付け部４０８のさらに室内側には樹脂形材取り付け部３０９、及び樹脂形材取り付け部４０９がそれぞれに設けられている。これら樹脂材取り付け部３０９、及び４０９にはそれぞれ樹脂形材３０、及び３１が嵌合して取り付けられている。樹脂形材３０、３１は、嵌め殺し窓２００ｂを室内側から見た場合に開口部の淵を形成している。通常樹脂形材は木目模様の樹脂、あるいは木目模様をプリントされた化粧フィルムが貼付された樹脂材として形成されており、室内側からの視点に対して意匠性を付与するとともに、断熱や結露防止の効果を奏している。
【００３４】
図４は、図３ａの下部を拡大して示す図である。複層ガラスパネル６０ａが備えられた嵌め殺し窓２００ａにおいては、前記したとおり、複層ガラスパネル６０ａの室内側ガラスパネル６２を室外方向に押圧しているビード３３は下枠２の、ビード取り付け部４０８に直接取り付けられている。
【００３５】
ここで下枠２の構造の詳細について説明する。下枠２は、おおまかには、室内側部２ａと室外側部２ｂとにより構成されている。室内側部２ａは、室内側に面して下方に延設されている室内側立設面４１１と、室内側立設面４１１に平行に室外側に形成された中央立設面４１３と、室内側立設面４１１及び中央立設面４１３の上端を連結する平面である上部平面４１２とを備えている。中央立設面４１３の上部室外側の面には上記したビード取り付け部４０８が、上部平面４１２の上面側には樹脂形材取り付け部４０９が形成されている。また、上部水平面４１２の室外側端部がビード取り付け部４０８と合流する近傍は他の部分よりくぼみを持った溝部４５０が形成されている。室内側ガラスパネル６２の結露水はガラスパネル６２表面を流れ落ちてビード３３の上面を伝い、溝部４５０に集められる。
【００３６】
一方、室外側部２ｂは、中央立設面４１３の下部から室外方向に略水平に延在する室外側水平部４１０と、室外側水平部４１０のさらに下方から室外方向に下降気味に延在する傾斜面４１４と、室外側水平部４１０、傾斜面４１４の室外側端部を連結する、室外側立設面４１５と、室外側立設面４１５の下端からさらに室外方向に下降気味に延在する排水面４７５とを備えている。室外側立設面４１５の下部には排水弁４７０が設けられている。
【００３７】
溝部４５０に流れ落ちた結露水は、横通しに設けられた下枠の両端部から傾斜面４１４に流下し、排水弁４７０、排水面４７５を経て室外側へと排出される。
【００３８】
図５は、図３ｂの下部を拡大して示す図である。図５における下枠２の構造は図４における下枠２の構造と全く同一であるので、関係する部材は同一の参照符号を付してその説明は省略する。
【００３９】
室外側水平部４１０上にはアタッチメント１００が載置されている。アタッチメント１００は、室外側水平部４１０に接する下部水平部１０１と、下部水平部１０１から上方に垂直方向に立設された立設面１０２と、立設面１０２の上端から室外方向に延在する上部水平部１０５と、上部水平部１０５の室外側先端に設けられたビード取り付け部１０４とを備えている。さらに立設面１０２の上部室内側の面には係合部１０３が設けられ、下枠２のビード取り付け部４０８と係合している。
【００４０】
ビード取り付け部１０４にはビード３３が取り付けられており、互いに対向して設けられているビード３３と、ビード３４とで単層ガラスパネル６０ｂを狭持している。なお、室外側水平部４１０上に基台３５が配置され、基台３５上には単層ガラスパネル６０ｂが載置されている。
【００４１】
アタッチメント１００の上部水平部１０５は、下枠２の溝部４５０と同じ高さ、またはそれよりわずかに低い高さに設けられている。単層ガラスパネル６０ｂの室内側の面に生じた結露水はガラス表面を流下してビード３３の上面を伝いアタッチメント１００の上部水平部１０５へと集められる。単層ガラスパネル６０ｂは複層ガラスパネル６０ａと比較した場合、断熱性に劣るので特に冬季に多量の結露水が生じることがあるが、アタッチメント１００の上部水平部１０５が、実質的に下枠２の溝部４５０の幅を広げているので、十分な量の排水路を確保することができる。
【００４２】
このように、複層ガラスパネルを使用するときは下枠に直接ビードを取り付け、単層ガラスパネルを使用するときはアタッチメントを使用して、該アタッチメントの一端側を下枠に固定し、他端側にビードを取り付けることにより、同一下枠を複層ガラスパネルと単層ガラスパネルに共用することが可能となる。また、ビードは通常弾性を有するゴムを材料に使用しているので、各ガラスパネルの厚さが変化しても一定範囲のものに対応することが容易である。
【００４３】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う同一枠体を複層ガラスパネルと単層ガラスパネルとに兼用する方法、及び開口部装置もまた本発明の技術的範囲に包含されるものとして理解されなければならない。
【図面の簡単な説明】
【００４４】
【図１ａ】ガラスパネルが複層である本発明に係る嵌め殺し窓を室内側から正面視したときの概略図である。
【図１ｂ】ガラスパネルが単層である本発明に係る嵌め殺し窓を室内側から正面視したときの概略図である。
【図２ａ】図１ａにおけるIIＡ−IIＡ線に沿った水平断面図である。
【図２ｂ】図１ｂにおけるIIＢ−IIＢ線に沿った水平断面図である。
【図３ａ】図１ａにおけるIIIＡ−IIIＡ線に沿った垂直断面図である。
【図３ｂ】図１ｂにおけるIIIＢ−IIIＢ線に沿った垂直断面図である。
【図４】図３ａの下部を拡大して示す図である。
【図５】図３ｂの下部を拡大して示す図である。
【符号の説明】
【００４５】
１  上枠
２  下枠
３  左横枠
４  右横枠
５  枠体
２１、２２、２３、２４  シール部材
３１、３２、３３、３４  シール部材
６０ａ  複層ガラスパネル
６０ｂ  単層ガラスパネル
７０ａ、７０ｂ  押し縁
８０ａ、８０ｂ  押し縁
９０ａ、９０ｂ  押し縁
１００  アタッチメント
１０５  上部水平部（底面）
２００ａ、２００ｂ  嵌め殺し窓（開口部装置）
４５０  溝部（水路）
【図１ａ】
2005083046.tif 000003
【図１ｂ】
2005083046.tif 000004
【図２ａ】
2005083046.tif 000005
【図２ｂ】
2005083046.tif 000006
【図３ａ】
2005083046.tif 000007
【図３ｂ】
2005083046.tif 000008
【図４】
2005083046.tif 000009
【図５】
2005083046.tif 000010